【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
インセル方式の表示タッチパネルに接続される半導体装置であって、
前記表示タッチパネルは、表示駆動期間に表示用を更新するために機能し、タッチ検出期間にセンサ電極として機能する複数の共通電極を有し、
前記半導体装置は、
前記表示タッチパネルの前記複数の共通電極のそれぞれに接続される複数の端子と、
前記複数の端子のそれぞれに接続される複数の選択回路と、
タッチ検出回路と、
前記表示駆動期間に、前記複数の共通電極に基準電圧を出力する基準電圧駆動回路と、
前記タッチ検出期間に、前記複数の共通電極に、第１電圧と第２電圧とを交互に切り替えられるトグル信号を供給するためのトグル駆動回路と、
直流レベルシフト回路と、
タイミング制御回路とを備え、
前記直流レベルシフト回路は、前記トグル信号の直流レベルを、前記基準電圧にシフトさせる回路であり、
前記タイミング制御回路は、前記複数の選択回路を制御して、前記表示駆動期間に前記基準電圧駆動回路の前記基準電圧の出力を前記複数の共通電極に前記複数の端子を介して供給し、
前記タイミング制御回路は、前記複数の選択回路を制御して、前記タッチ検出期間に、前記複数の共通電極のうちの第１共通電極から前記複数の端子のうちの第１端子を介して入力される検出信号を前記タッチ検出回路に供給し、同期して前記直流レベルをシフトした前記トグル信号を前記複数の共通電極の少なくとも第２共通電極に前記複数の端子のうちの少なくとも第２端子を介して供給する、
半導体装置。
【請求項２】
請求項１において、
前記直流レベルシフト回路は、容量を外付けするための１組の接続端子を有し、
前記トグル駆動回路は、前記トグル信号を前記１組の接続端子のうちの一方の接続端子に出力し、
前記タイミング制御回路は、前記基準電圧駆動回路からの前記１組の接続端子のうちの他方の接続端子への出力を、前記表示駆動期間に前記基準電圧の出力とし、前記タッチ検出期間にハイインピーダンスに制御する、
半導体装置。
【請求項３】
請求項１において、
前記直流レベルシフト回路は、容量を外付けするための１組の接続端子を有し、
前記トグル駆動回路は、前記トグル信号を前記１組の接続端子のうちの一方の接続端子に出力し、
前記タイミング制御回路は、前記基準電圧駆動回路から前記１組の接続端子のうちの他方の接続端子へ前記基準電圧の出力を、前記表示駆動期間には直接出力し、または、前記タッチ検出期間には抵抗を介して出力するように制御する、
半導体装置。
【請求項４】
請求項２において、
前記トグル駆動回路は、前記表示駆動期間の前記トグル信号が、前記タッチ検出期間の前記トグル信号の直流レベルと一致するように構成される、
半導体装置。
【請求項５】
請求項３において、
前記トグル駆動回路は、前記表示駆動期間の前記トグル信号が、前記タッチ検出期間の前記トグル信号の直流レベルと一致するように構成される、
半導体装置。
【請求項６】
請求項１において、
前記半導体装置は、電源回路と電源選択回路とをさらに備え、
前記電源回路は、第１正極電圧と、前記第１正極電圧より低い第２正極電圧と、接地電圧と、第１負極電圧と、前記第１負極電圧より高い第２負極電圧とを供給し、
前記基準電圧は、前記接地電圧よりも低く、前記第２負極電圧よりも高く、
前記電源選択回路は、
前記トグル駆動回路に前記第１正極電圧と前記接地電圧とを電源として供給し、
前記基準電圧駆動回路に前記第２正極電圧と前記第２負極電圧とを電源として供給し、
前記タッチ検出回路に前記第１正極電圧と前記接地電圧とを電源として供給し、
前記タイミング制御回路は、前記電源回路から前記電源選択回路を介して、
前記表示駆動期間に前記複数の選択回路に前記第２正極電圧と前記第２負極電圧とを電源として供給させ、
前記タッチ検出期間に前記第２端子に対応する選択回路に前記第２正極電圧と前記第２負極電圧とを電源として供給させ、他の選択回路に前記第１正極電圧と前記接地電圧とを電源として供給させる、
半導体装置。
【請求項７】
請求項１において、
前記半導体装置は、電源回路をさらに備え、
前記電源回路は、
前記トグル駆動回路に第１正極電圧と接地電圧とを電源として供給し、
前記基準電圧駆動回路に前記第１正極電圧と第１負極電圧とを電源として供給し、
前記タッチ検出回路に前記第１正極電圧と前記接地電圧とを電源として供給し、
前記複数の選択回路に前記第１正極電圧と前記第１負極電圧とを電源として供給し、
前記第１正極電圧より低い第２正極電圧を供給し、
前記第１負極電圧より高い第２負極電圧を供給し、
前記基準電圧は、前記接地電圧よりも低く、前記第２負極電圧よりも高い、
半導体装置。
【請求項８】
請求項１において、
前記半導体装置は、電源回路と電源選択回路とをさらに備え、
前記電源回路は、第１正極電圧と、前記第１正極電圧より低い第２正極電圧と、接地電圧と、第１負極電圧と、前記第１負極電圧より高い第２負極電圧とを供給し、
表示用の前記基準電圧は、前記接地電圧よりも低く、前記第２負極電圧よりも高く、
前記電源選択回路は、
前記トグル駆動回路に前記接地電圧と前記第１負極電圧とを電源として供給し、
前記基準電圧駆動回路に前記第２正極電圧と前記第２負極電圧とを電源として供給し、
前記タッチ検出回路に前記接地電圧と前記第１負極電圧とを電源として供給し、
前記タイミング制御回路は、前記電源回路から前記電源選択回路を介して、
前記表示駆動期間に前記複数の選択回路に前記第２正極電圧と前記第２負極電圧とを電源として供給させ、
前記タッチ検出期間に前記第２端子に対応する選択回路に前記第２正極電圧と前記第２負極電圧とを電源として供給させ、他の選択回路に前記接地電圧と前記第１負極電圧とを電源として供給させる、
半導体装置。
【請求項９】
請求項１において、
前記半導体装置は、電源回路をさらに備え、
前記電源回路は、
前記トグル駆動回路に接地電圧と第１負極電圧とを電源として供給し、
前記基準電圧駆動回路に前記接地電圧と前記第１負極電圧とを電源として供給し、
前記タッチ検出回路に前記接地電圧と前記第１負極電圧とを電源として供給し、
前記複数の選択回路に前記接地電圧と前記第１負極電圧とを電源として供給し、
第１正極電圧を供給し、
前記第１正極電圧より低い第２正極電圧を供給し、
前記第１負極電圧より高い第２負極電圧を供給し、
表示用の前記基準電圧は、前記接地電圧よりも低く、前記第２負極電圧よりも高い、
半導体装置。
【請求項１０】
請求項１において、
前記半導体装置は、電源回路と電源選択回路とをさらに備え、
前記電源回路は、第１正極電圧と、前記第１正極電圧より低い第２正極電圧と、接地電圧と、第１負極電圧と、前記第１負極電圧より高い第２負極電圧と、前記基準電圧を供給し、
表示用の前記基準電圧は、前記接地電圧よりも低く、前記第２負極電圧よりも高く、
前記電源選択回路は、
前記トグル駆動回路に前記第１正極電圧と前記接地電圧とを電源として供給し、
前記基準電圧駆動回路に前記第２正極電圧と前記第２負極電圧とを電源として供給し、
前記タッチ検出回路に前記第１正極電圧と前記接地電圧とを電源として供給し、
前記タイミング制御回路は、前記電源回路から前記電源選択回路を介して、
前記表示駆動期間に前記複数の選択回路に前記第２正極電圧と前記第２負極電圧とを電源として供給させ、
前記タッチ検出期間に、
前記第２端子に対応する選択回路には、前記第１正極電圧と前記接地電圧との間で前記トグル信号と同期して交互に切り替えられる電圧を正極とし、前記接地電圧と前記第１負極電圧との間で前記トグル信号と同期して交互に切り替えられる電圧を負極とする電源を供給させ、
他の選択回路には、前記第１正極電圧と前記接地電圧とを電源として供給させる、
半導体装置。
【請求項１１】
請求項１０において、
前記半導体装置は、
第１の容量の第１電極と第２の容量の第１電極とに外付けするための共通接続端子と、
前記第１の容量の第２電極に外付けするための第１接続端子と、
前記第２の容量の第２電極に外付けするための第２接続端子とを有し、
前記トグル駆動回路は、前記トグル信号を前記共通接続端子に出力し、
前記タイミング制御回路は、前記基準電圧駆動回路からの前記第１接続端子への出力を、前記表示駆動期間に前記基準電圧の出力とし、前記タッチ検出期間にハイインピーダンスに制御するかまたは抵抗を介して出力するように制御し、
前記タッチ検出期間に前記電源回路から前記電源選択回路を介して前記第２端子に対応する前記選択回路に正極として供給される電圧は、前記トグル信号であり、負極として供給される電圧は前記第２接続端子から供給される、
半導体装置。
【請求項１２】
請求項１において、
前記タッチ検出回路は、
差動信号が入力される一対の入力端子を有する差動増幅回路と、
前記一対の入力端子のうちの第１入力端子への直流電圧レベルをシフトさせる直流電圧レベルシフト回路とを備え、
前記トグル駆動回路は、前記トグル信号を前記一対の入力端子のうちの第２入力端子に供給し、
前記タイミング制御回路は、前記複数の選択回路を制御して、前記タッチ検出期間に、前記第１端子に入力された信号を、前記直流電圧レベルシフト回路を介して、前記タッチ検出回路に入力させ、
前記半導体装置は、電源回路をさらに備え、
前記電源回路は、
前記トグル駆動回路に第１正極電圧と接地電圧とを電源として供給し、
前記基準電圧駆動回路に第２正極電圧と第２負極電圧とを電源として供給し、
前記タッチ検出回路に前記第１正極電圧と前記接地電圧とを電源として供給し、
前記複数の選択回路に前記第２正極電圧と前記第２負極電圧とを電源として供給し、
前記第２正極電圧は前記第１正極電圧より低く、
前記第２負極電圧は負極電圧より高く、
表示用の前記基準電圧は、前記接地電圧よりも低く、前記第２負極電圧よりも高い、
半導体装置。
【請求項１３】
請求項１２において、
前記直流電圧レベルシフト回路は、前記第２入力端子と、前記複数の選択回路のうちの対応する選択回路との間に容量素子を備える、
半導体装置。
【請求項１４】
インセル方式の表示タッチパネルと前記表示タッチパネルに接続される半導体装置を備える表示装置であって、
前記表示タッチパネルは、表示駆動期間に基準電圧が印加され、タッチ検出期間にセンサ電極として機能する複数の共通電極を有し、
前記半導体装置は、
前記表示タッチパネルの前記複数の共通電極のそれぞれに接続される複数の端子と、
前記複数の端子のそれぞれに接続される複数の選択回路と、
タッチ検出回路と、
前記表示タッチパネルに前記基準電圧を供給するための基準電圧駆動回路と、
前記センサ電極に、第１電圧と第２電圧とを交互に切り替えるトグル信号を供給するためのトグル駆動回路と、
直流レベルシフト回路と、
タイミング制御回路とを備え、
前記直流レベルシフト回路は、前記トグル信号の直流レベルを、前記基準電圧にシフトさせる回路であり、
前記タイミング制御回路は、前記複数の選択回路を制御して、前記表示駆動期間に前記基準電圧を前記複数の共通電極に前記複数の端子を介して供給し、
前記タイミング制御回路は、前記複数の選択回路を制御して、前記タッチ検出期間に、前記複数の共通電極のうちの第１共通電極から前記複数の端子のうちの第１端子を介して入力される検出信号を前記タッチ検出回路に供給し、同期して前記直流レベルをシフトした前記トグル信号を前記複数の共通電極のうちの少なくとも第２共通電極に前記複数の端子のうちの少なくとも第２端子を介して供給する、
表示装置。
【請求項１５】
請求項１４において、
前記表示装置は、１組の接続端子を介して前記直流レベルシフト回路に接続される容量をさらに備え、
前記トグル駆動回路は、前記トグル信号を前記１組の接続端子のうちの一方の接続端子に出力し、
前記タイミング制御回路は、前記基準電圧駆動回路からの前記１組の接続端子のうちの他方の接続端子への出力を、前記表示駆動期間に前記基準電圧の出力とし、前記タッチ検出期間にハイインピーダンスに制御する、
表示装置。
【請求項１６】
請求項１４において、
前記表示装置は、１組の接続端子を介して前記直流レベルシフト回路に接続される容量をさらに備え、
前記トグル駆動回路は、前記トグル信号を前記１組の接続端子のうちの一方の接続端子に出力し、
前記タイミング制御回路は、前記基準電圧駆動回路からの前記基準電圧の出力を、前記１組の接続端子のうちの他方の接続端子に、前記表示駆動期間には直接出力し、または、前記タッチ検出期間には抵抗を介して出力するように制御する、
表示装置。
【請求項１７】
請求項１５において、
前記トグル駆動回路は、前記表示駆動期間の前記トグル信号が、前記タッチ検出期間の前記トグル信号の直流レベルと一致するように構成される、
表示装置。
【請求項１８】
請求項１６において、
前記トグル駆動回路は、前記表示駆動期間の前記トグル信号が、前記タッチ検出期間の前記トグル信号の直流レベルと一致するように構成される、
表示装置。
【請求項１９】
請求項１４において、
前記半導体装置は、電源回路と電源選択回路とをさらに備え、
前記電源回路は、第１正極電圧と、前記第１正極電圧より低い第２正極電圧と、接地電圧と、第１負極電圧と、前記第１負極電圧より高い第２負極電圧とを供給し、表示用の前記基準電圧は、前記接地電圧よりも低く、前記第２負極電圧よりも高く、
前記電源選択回路は、
前記トグル駆動回路に前記第１正極電圧と前記接地電圧とを電源として供給し、
前記基準電圧駆動回路に前記第２正極電圧と前記第２負極電圧とを電源として供給し、
前記タッチ検出回路に前記第１正極電圧と前記接地電圧とを電源として供給し、
前記タイミング制御回路は、前記電源回路から前記電源選択回路を介して、前記表示駆動期間に前記複数の選択回路に前記第２正極電圧と前記第２負極電圧とを電源として供給させ、前記タッチ検出期間に前記第２端子に対応する選択回路に前記第２正極電圧と前記第２負極電圧とを電源として供給させ、他の選択回路に前記第１正極電圧と前記接地電圧とを電源として供給させる、
表示装置。
【請求項２０】
請求項１４において、
前記半導体装置は、電源回路と電源選択回路とをさらに備え、
前記電源回路は、第１正極電圧と、前記第１正極電圧より低い第２正極電圧と、接地電圧と、第１負極電圧と、前記第１負極電圧より高い第２負極電圧とを供給し、表示用の前記基準電圧は、前記接地電圧よりも低く、前記第２負極電圧よりも高く、
前記電源選択回路は、
前記トグル駆動回路に前記接地電圧と前記第１負極電圧とを電源として供給し、
前記基準電圧駆動回路に前記第２正極電圧と前記第２負極電圧とを電源として供給し、
前記タッチ検出回路に前記接地電圧と前記第１負極電圧とを電源として供給し、
前記タイミング制御回路は、前記電源回路から前記電源選択回路を介して、前記表示駆動期間に前記複数の選択回路に前記第２正極電圧と前記第２負極電圧とを電源として供給させ、前記タッチ検出期間に前記第２端子に対応する選択回路に前記第２正極電圧と前記第２負極電圧とを電源として供給させ、他の選択回路に前記接地電圧と前記第１負極電圧とを電源として供給させる、
表示装置。
【請求項２１】
請求項１４において、
前記半導体装置は、電源回路と電源選択回路とをさらに備え、
前記電源回路は、第１正極電圧と、前記第１正極電圧より低い第２正極電圧と、接地電圧と、第１負極電圧と、前記第１負極電圧より高い第２負極電圧とを供給し、表示用の前記基準電圧は、前記接地電圧よりも低く、前記第２負極電圧よりも高く、
前記電源選択回路は、
前記トグル駆動回路に前記第１正極電圧と前記接地電圧とを電源として供給し、
前記基準電圧駆動回路に前記第２正極電圧と前記第２負極電圧とを電源として供給し、
前記タッチ検出回路に前記第１正極電圧と前記接地電圧とを電源として供給し、
前記タイミング制御回路は、前記電源回路から前記電源選択回路を介して、前記表示駆動期間に前記複数の選択回路に前記第２正極電圧と前記第２負極電圧とを電源として供給させ、前記タッチ検出期間には、前記第２端子に対応する選択回路には、前記第１正極電圧と前記接地電圧との間で前記トグル信号と同期して交互に切り替えられる電圧を正極とし、前記接地電圧と前記第１負極電圧との間で前記トグル信号と同期して交互に切り替えられる電圧を負極とする電源を供給させ、他の選択回路には、前記第１正極電圧と前記接地電圧とを電源として供給させる、
表示装置。
【請求項２２】
請求項１４において、
前記タッチ検出回路は、差動信号が入力される一対の入力端子を有する差動増幅回路を備え、
前記トグル駆動回路は、前記一対の入力端子のうちの第１入力端子に前記トグル信号を出力し、
前記タッチ検出回路は、前記一対の入力端子のうちの第２入力端子における直流電圧レベルをシフトさせる直流電圧レベルシフト回路を備え、
前記タイミング制御回路は、前記複数の選択回路を制御して、前記タッチ検出期間に、前記第１端子に入力された信号を、前記直流電圧レベルシフト回路を介して、前記タッチ検出回路に入力させ、
前記半導体装置は、電源回路をさらに備え、
前記電源回路は、
前記トグル駆動回路に第１正極電圧と接地電圧とを電源として供給し、
前記基準電圧駆動回路に第２正極電圧と第２負極電圧とを電源として供給し、
前記タッチ検出回路に前記第１正極電圧と前記接地電圧とを電源として供給し、
前記複数の選択回路に前記第２正極電圧と前記第２負極電圧とを電源として供給し、
前記第２正極電圧は、前記第１正極電圧より低く、
前記第２負極電圧は、第１負極電圧より高く、
表示用の前記基準電圧は、前記接地電圧より低く、前記第２負極電圧より高い
表示装置。